(57)【要約】【課題】マトリクス駆動によって画像表示を行うパネルに表示する画像の、表示位置および表示サイズを容易に調整することができる画像表示装置および画像表示方法を提供する。【解決手段】表示画像調整部２１は、ラインメモリ４１と水平圧縮前処理部４２と水平伸長後処理部４６とラインメモリ制御部５０とを有し表示画像の水平方向の表示位置および表示サイズの調整を行う水平表示調整部４０と、フレームメモリ６１と垂直圧縮前処理部６２と垂直伸長後処理部６６とフレームメモリ制御部７０とを有し表示画像の垂直方向の表示位置および表示サイズの調整を行う垂直表示調整部６０と、水平表示調整部４０および垂直表示調整部６０に対しての指示を出力する指示部２６とを備え、多くとも４回の調整で、ＰＤＰの有効表示領域に対し、水平、垂直ともに最適な表示位置、表示サイズに調整することができる。【選択図】図４
2006293205.tif 000002
【特許請求の範囲】
【請求項１】
マトリクス駆動によって画像を表示する表示パネルと、
画像信号がデジタル化されて生成された画素信号を任意に書き込みできるメモリと、
前記メモリへ書き込む前記画素信号の書き込み範囲を設定する位置調整部と、
前記画素信号を間引いてその画素数を減少させるかまたは前記画素信号を補間してその画素数を増加させるサイズ調整部と、
前記メモリから読み出された前記画素信号を前記表示パネルの所定の位置に表示する駆動部とを備え、
前記表示パネルに表示される画像の水平方向または垂直方向の表示位置および表示サイズの調整において、前記位置調整部による前記メモリへの前記書き込み範囲の設定と前記サイズ調整部による前記間引きまたは前記補間とを連動させることにより、前記表示パネルに表示される画像の一方の端の位置を前記表示パネルに対して固定したまま他方の端の位置を調整すること
を特徴とする画像表示装置。
【請求項２】
前記メモリは、前記画素信号を１水平同期期間にわたって書き込みできるラインメモリと、前記画素信号を１垂直同期期間にわたって書き込みできるフレームメモリとを有し、
前記位置調整部は、前記ラインメモリに書き込む前記画素信号の書き込み範囲を設定する水平位置調整部と、前記フレームメモリに書き込む前記画素信号の書き込み範囲を設定する垂直位置調整部とを有し、
前記サイズ調整部は、前記表示パネルに表示する画像の水平方向の表示サイズを圧縮させる場合に前記画素信号を間引いて１水平同期期間の画素数を減少させる画素信号間引き部と、前記表示パネルに表示する画像の水平方向の表示サイズを伸長させる場合に前記画素信号を補間して１水平同期期間の画素数を増加させる画素信号補間部と、前記表示パネルに表示する画像の垂直方向の表示サイズを圧縮させる場合に前記画素信号を１水平同期期間単位で間引いて１垂直同期期間の画素数を減少させるライン間引き部と、前記表示パネルに表示する画像の垂直方向の表示サイズを伸長させる場合に前記画素信号を１水平同期期間単位で補間して１垂直同期期間の画素数を増加させるライン補間部とを有し、
前記駆動部は、前記ラインメモリから最初に読み出される前記画素信号および前記フレームメモリから最初に読み出される１水平同期期間分の前記画素信号をそれぞれ前記表示パネルの所定の位置に表示し、
前記表示パネルに表示される画像の水平方向および垂直方向のいずれにおいても、前記表示パネルに表示される画像の一方の端の位置を前記表示パネルに対して固定したまま他方の端の位置を調整すること
を特徴とする請求項１記載の画像表示装置。
【請求項３】
前記画素信号間引き部は、前記画素信号を間引いて前記ラインメモリに書き込むことにより１水平同期期間の画素数を減少させ、
前記画素信号補間部は、前記ラインメモリに書き込まれた前記画素信号のうちの所定の前記画素信号を繰り返して読み出すことで１水平同期期間の画素数を増加させ、
前記ライン間引き部は、前記画素信号を１水平同期期間単位で間引いて前記フレームメモリに書き込むことにより１垂直同期期間の画素数を減少させ、
前記ライン補間部は、前記フレームメモリに書き込まれた前記画素信号のうちの所定の１水平同期期間分の前記画素信号を繰り返して読み出すことで１垂直同期期間の画素数を増加させ、
前記駆動部は、前記ラインメモリから最初に読み出される前記画素信号を前記表示パネルの水平方向におけるいずれか一方の端部に表示し、前記フレームメモリから最初に読み出される１水平同期期間分の前記画素信号を前記表示パネルの上端部に表示して、
前記表示パネルに表示される画像の右端を前記表示パネルの右端部に合わせる調整と、前記表示パネルに表示される画像の左端を前記表示パネルの左端部に合わせる調整と、前記表示パネルに表示される画像の上端を前記表示パネルの上端部に合わせる調整と、前記表示パネルに表示される画像の下端を前記表示パネルの下端部に合わせる調整との多くとも４回の調整で前記表示パネルに表示される画像の表示位置および表示サイズを最適に調整すること
を特徴とする請求項２記載の画像表示装置。
【請求項４】
マトリクス駆動によって画像表示を行う表示パネルに表示位置および表示サイズを最適にして画像を表示する画像表示方法であって、
画像信号がデジタル化されて生成された画素信号のメモリへの書き込み範囲を設定するとともに前記メモリから読み出された前記画素信号を間引いてその画素数を減少させるかまたは前記画素信号を補間してその画素数を増加させて前記表示パネルの所定の位置に表示することで、
前記表示パネルに表示される画像の水平方向または垂直方向の表示位置および表示サイズの調整において、前記表示パネルに表示される画像の一方の端の位置を前記表示パネルに対して固定したまま他方の端の位置を調整すること
を特徴とする画像表示方法。
【請求項５】
前記画素信号を１水平同期期間にわたって書き込みできるラインメモリへの前記画素信号の書き込み範囲を設定するとともに、前記表示パネルに表示する画像の水平方向の表示サイズを圧縮させる場合には前記画素信号を間引いて１水平同期期間の画素数を減少させ、前記表示パネルに表示する画像の水平方向の表示サイズを伸長させる場合には前記画素信号を補間して１水平同期期間の画素数を増加させ、
前記画素信号を１垂直同期期間にわたって書き込みできるフレームメモリへの前記画素信号の書き込み範囲を設定するとともに、前記表示パネルに表示する画像の垂直方向の表示サイズを圧縮させる場合には前記画素信号を１水平同期期間単位で間引いて１垂直同期期間の画素数を減少させ、前記表示パネルに表示する画像の垂直方向の表示サイズを伸長させる場合には前記画素信号を１水平同期期間単位で補間して１垂直同期期間の画素数を増加させ、
前記ラインメモリから最初に読み出される前記画素信号および前記フレームメモリから最初に読み出される１水平同期期間分の前記画素信号をそれぞれ前記表示パネルの所定の位置に表示し、
前記表示パネルに表示される画像の水平方向および垂直方向のいずれにおいても、前記表示パネルに表示される画像の一方の端の位置を前記表示パネルに対して固定したまま他方の端の位置を調整すること
を特徴とする請求項４記載の画像表示方法。
【請求項６】
１水平同期期間の画素数を減少させる場合には前記画素信号を間引いて前記ラインメモリに書き込み、１水平同期期間の画素数を増加させる場合には前記ラインメモリに書き込まれた前記画素信号のうちの所定の前記画素信号を繰り返して読み出し、
１垂直同期期間の画素数を減少させる場合には、前記画素信号を１水平同期期間単位で間引いて前記フレームメモリに書き込み、１垂直同期期間の画素数を増加させる場合には、前記フレームメモリに書き込まれた前記画素信号のうちの所定の１水平同期期間分の前記画素信号を繰り返して読み出し、
前記ラインメモリから最初に読み出される前記画素信号を前記表示パネルの水平方向におけるいずれか一方の端部に表示し、前記フレームメモリから最初に読み出される１水平同期期間分の前記画素信号を前記表示パネルの上端部に表示して、
前記表示パネルに表示される画像の右端を前記表示パネルの右端部に合わせる調整と、前記表示パネルに表示される画像の左端を前記表示パネルの左端部に合わせる調整と、前記表示パネルに表示される画像の上端を前記表示パネルの上端部に合わせる調整と、前記表示パネルに表示される画像の下端を前記表示パネルの下端部に合わせる調整との多くとも４回の調整で前記表示パネルに表示される画像の表示位置および表示サイズを最適に調整すること
を特徴とする請求項５記載の画像表示方法。
【発明の詳細な説明】
【技術分野】
【０００１】
本発明は、プラズマディスプレイパネル（以下、「ＰＤＰ」と略記する）や液晶ディスプレイパネル（以下、「ＬＣＤ」と略記する）等、いわゆるマトリクス駆動によって画像表示を行うディスプレイパネル（以下、「パネル」と略記する）に画像を表示するための画像表示装置および画像表示方法に関する。
【背景技術】
【０００２】
画像表示装置に画像を表示する際、画像が最適に表示されるためには、画像表示装置の有効表示領域に対し、画像の表示位置および表示サイズを最適に調整しなければならない。例えば、ＣＲＴによる画像表示装置おいては、ＣＲＴ上の蛍光体を発光させるための電子ビームを駆動する偏向系の水平振幅および垂直振幅等を調整することによって、画像の表示位置および表示サイズの調整が可能である。一方、ＰＤＰやＬＣＤによる画像表示装置においては、マトリクス駆動される複数の表示セルのうち、隣接する赤（Ｒ）、緑（Ｇ）および青（Ｂ）の表示セルの組み合わせを１つの画素とした画像表示が行われるため、画像信号をデジタル信号に変換（以下、「Ａ／Ｄ変換」と記す）する際のクロック周波数や画像表示装置における水平方向および垂直方向の表示セル数、表示セルを駆動するためのクロック周波数等の相互の関係を考慮し、画像の表示位置および表示サイズを調整しなければならない。
【０００３】
そこで、ＰＤＰやＬＣＤにおける画像の表示位置を調整するため、水平方向の表示制御信号および垂直方向の表示制御信号をそれぞれ独立して調整することができる技術が提案されている（例えば、特許文献１を参照）。
【０００４】
このような従来技術においては、画像信号をパネルの表示領域に最適に合わせて表示するため、例えば図１６に示すフローで処理を施す。図１６は、従来技術における画像信号の処理の概略を示したフローチャートである。まず、画像信号をＡ／Ｄ変換し、画素信号にする。このとき、画像信号からの水平および垂直の同期信号の取り出し（同期分離）や、その同期信号に同期したクロックの生成等が並行して行われる（Ｓ１）。次に、フレームメモリに書き込む画像信号の領域（メモリ書き込み領域）を設定し（Ｓ２）、その領域に含まれる画素信号をフレームメモリに書き込む。なお、画像信号内の有効な画像領域は画像信号毎にばらつくが、このとき、そのばらつきによって有効な画像領域がメモリに書き込まれないような問題が生じないように、水平および垂直の同期信号部分を除き、できるだけ広い領域をメモリ書き込み領域として設定する（Ｓ３）。続いて、そのフレームメモリに書き込まれた画素信号を読み出す（Ｓ４）。次に、フレームメモリから読み出した画像信号に対し、設定された表示サイズにもとづいて画素補間（複数の画素信号からそれよりも多い画素数の画素信号を作成する処理）または画素間引き（複数の画素信号からそれよりも少ない画素数の画素信号を作成する処理）を施す。すなわち、パネルに表示される画像を水平方向に伸長または圧縮する場合には、フレームメモリから読み出した画像信号の隣接する画素信号間（パネルに表示した場合に水平方向に隣接する画素信号間）で画素補間または画素間引きを行って、１水平同期期間における画素数を変換する。また、パネルに表示される画像を垂直方向に伸長または圧縮する場合には、フレームメモリから読み出した画像信号の１垂直同期期間を隔てた画素信号間（パネルに表示した場合に垂直方向に隣接する画素信号間）で画素補間または画素間引きを行って、１垂直同期期間における画素数を変換する。そして、設定された表示位置と水平同期信号および垂直同期信号とにもとづき、パネルに表示する先頭画素信号を決定する。このとき、画素補間または画素間引きされた画像信号の画素数とパネルの画素数（表示セル数）とは必ずしも同数とはならないので、パネルの水平画素数および垂直画素数にもとづき、画素補間または画素間引きされた画素信号の中からパネルに表示する画素信号を選択する（Ｓ５）。そして、その画素信号は、パネルに表示するために必要な信号処理、例えばＰＤＰであればいわゆるサブフィールド処理等の信号処理が施された後、パネルに表示される。このようにして、画像がパネルに表示される（Ｓ６）。また、パネルに表示された画像の位置または表示サイズが最適ではない場合には、水平方向または垂直方向に関する表示位置または表示サイズの調整をステップＳ５に戻って再度行う。そして、画像がパネルに最適に表示されるまで、この一連の処理を繰り返す（Ｓ７）。
【０００５】
これら一連の処理、すなわちパネルに表示される画像の表示位置および表示サイズを最適に調整するための処理の流れを、図面を用いて説明する。図１７は、従来技術によるパネルの表示領域に対する表示画像の水平方向の表示位置および表示サイズの調整手順を示す概略図である。まず、最初に表示された画像の表示位置および表示サイズが、図１７（ａ）に示すように、パネルの表示領域に対して最適になっていない場合、まず、図１７（ｂ）に示すように、表示画像を左方向（図面中の左方向）に移動させて水平位置を調整する。このとき、表示画像の左端がパネルの表示領域の左端に一致するように表示画像を移動させる。次に、図１７（ｃ）に示すように、表示画像の右端がパネルの表示領域の右端に一致するように表示画像の水平サイズを調整する。このとき、表示画像の水平サイズを伸長させることで、最初に調整した表示位置にずれが生じる。
【０００６】
このずれは、次のような理由で生じる。
【０００７】
パネルに表示される画像信号の水平方向における先頭画素、ここではパネルに表示される表示画像の左端の画素は、図１６のステップＳ５で説明したように、設定された表示位置と水平同期信号とにもとづいて決定される。すなわち、画素補間または画素間引きを行って水平方向に伸長または圧縮された画素信号から、水平同期信号を基準に、設定された表示位置の水平位置にもとづいた分だけの画素数がカウントされ、そのカウントされた画素数後の最初の画素信号が先頭画素として決定される。しかし、一旦先頭画素が決定されても、その後、表示画像に対して伸長または圧縮がなされると、それによって再度画素補間または画素間引きがなされて画素数が変化する。このとき、画素数が変化しても先頭画素を決定するためにカウントされる画素数は変わらない。したがって、表示画像に対して伸長または圧縮がなされ表示画素数が変化すると、先頭画素の位置が変化する。
【０００８】
図１７の例を用いてさらに具体的に説明する。例えば、フレームメモリから読み出された画素信号の、水平同期信号を基準にして３０画素目からが有効な画像領域であるとすれば、図１７（ｂ）の水平位置調整によって、水平同期信号を基準にした３０画素目が先頭画素として決定される。その後、図１７（ｃ）の水平サイズ調整によって、表示画像が水平方向に１．５倍に伸長されたとすると、それにより、水平同期信号を基準にして４５画素目からが有効な画像領域となる。しかし、水平位置調整によって設定された水平同期信号を基準にした３０画素目の先頭画素はそのままとなっているので、水平方向に１．５倍に伸長された画像信号のうちの水平同期信号を基準にした３０画素目の先頭画素が、パネルの表示領域の左端に表示されることになる。したがって、パネルの表示領域の左端から１５画素分は、画像のブランキング領域が表示され、それ以降の画素からが有効な表示画像となる。このような理由により、図１７（ｃ）に示した水平位置調整では、パネルの表示領域に対する表示画像の表示位置にずれが生じる。
【０００９】
このずれを修正するため、図１７（ｄ）に示すように、再度水平位置調整を行い、表示画像の左端がパネルの表示領域の左端に一致するように、表示画像を左方向に移動させる。それにより、再度表示画像の水平サイズ調整が必要となるので、図１７（ｅ）に示すように、水平サイズの調整を行う。このようにして、水平位置の調整と水平サイズの調整とを交互に繰り返すことで、パネルの表示領域に対し、表示画像を最適な水平位置および水平サイズにする。
【００１０】
また、従来技術における、パネルの表示領域に対する表示画像の垂直方向の表示位置および表示サイズの調整も、パネルの表示領域における垂直方向に対し画像信号の垂直同期信号を基準に、上述と同様の手順で行う。
【特許文献１】特開平８−１２３３５７号公報
【発明の開示】
【発明が解決しようとする課題】
【００１１】
このように、従来技術による画像の表示位置および表示サイズの調整では、表示位置および表示サイズをそれぞれ一度の調整で最適にすることは難しく、表示位置の調整と表示サイズの調整とを交互に繰り返しながら、それぞれ最適に調整しなければならないといった課題があった。
【００１２】
本発明は、上述した課題に鑑みなされたものであり、画像の表示位置および表示サイズの調整に要する回数を低減し、容易に表示位置および表示サイズを調整することができる画像表示装置および画像表示方法を提供することを目的とする。
【課題を解決するための手段】
【００１３】
このような目的を達成するために、本発明の画像表示装置は、マトリクス駆動によって画像を表示する表示パネルと、画像信号がデジタル化されて生成された画素信号を任意に書き込みできるメモリと、メモリへ書き込む画素信号の書き込み範囲を設定する位置調整部と、画素信号を間引いてその画素数を減少させるかまたは画素信号を補間してその画素数を増加させるサイズ調整部と、メモリから読み出された画素信号を表示パネルの所定の位置に表示する駆動部とを備え、表示パネルに表示される画像の水平方向または垂直方向の表示位置および表示サイズの調整において、位置調整部によるメモリへの書き込み範囲の設定とサイズ調整部による間引きまたは補間とを連動させることにより、表示パネルに表示される画像の一方の端の位置を表示パネルに対して固定したまま他方の端の位置を調整することを特徴とする。
【００１４】
この構成によれば、表示パネルの水平方向または垂直方向において、表示パネルに表示される画像の一方の端の位置を表示パネルに対して固定したまま他方の端の位置を調整することができるようになるので、表示パネルに表示される画像の表示位置および表示サイズの調整を容易に行うことができるようになる。
【００１５】
また、メモリは、画素信号を１水平同期期間にわたって書き込みできるラインメモリと、画素信号を１垂直同期期間にわたって書き込みできるフレームメモリとを有し、位置調整部は、ラインメモリに書き込む画素信号の書き込み範囲を設定する水平位置調整部と、フレームメモリに書き込む画素信号の書き込み範囲を設定する垂直位置調整部とを有し、サイズ調整部は、表示パネルに表示する画像の水平方向の表示サイズを圧縮させる場合に画素信号を間引いて１水平同期期間の画素数を減少させる画素信号間引き部と、表示パネルに表示する画像の水平方向の表示サイズを伸長させる場合に画素信号を補間して１水平同期期間の画素数を増加させる画素信号補間部と、表示パネルに表示する画像の垂直方向の表示サイズを圧縮させる場合に画素信号を１水平同期期間単位で間引いて１垂直同期期間の画素数を減少させるライン間引き部と、表示パネルに表示する画像の垂直方向の表示サイズを伸長させる場合に画素信号を１水平同期期間単位で補間して１垂直同期期間の画素数を増加させるライン補間部とを有し、駆動部は、ラインメモリから最初に読み出される画素信号およびフレームメモリから最初に読み出される１水平同期期間分の画素信号をそれぞれ表示パネルの所定の位置に表示し、表示パネルに表示される画像の水平方向および垂直方向のいずれにおいても、表示パネルに表示される画像の一方の端の位置を表示パネルに対して固定したまま他方の端の位置を調整する構成としてもよい。この構成によれば、表示パネルの水平方向、垂直方向のいずれにおいても、表示パネルに表示される画像の一方の端の位置を表示パネルに対して固定したまま他方の端の位置を調整することができるようになるので、表示パネルに表示される画像の水平方向および垂直方向の表示位置および表示サイズの調整を容易に行うことができるようになる。
【００１６】
また、画素信号間引き部は、画素信号を間引いてラインメモリに書き込むことにより１水平同期期間の画素数を減少させ、画素信号補間部は、ラインメモリに書き込まれた画素信号のうちの所定の画素信号を繰り返して読み出すことで１水平同期期間の画素数を増加させ、ライン間引き部は、画素信号を１水平同期期間単位で間引いてフレームメモリに書き込むことにより１垂直同期期間の画素数を減少させ、ライン補間部は、フレームメモリに書き込まれた画素信号のうちの所定の１水平同期期間分の画素信号を繰り返して読み出すことで１垂直同期期間の画素数を増加させ、駆動部は、ラインメモリから最初に読み出される画素信号を表示パネルの水平方向におけるいずれか一方の端部に表示し、フレームメモリから最初に読み出される１水平同期期間分の画素信号を表示パネルの上端部に表示して、表示パネルに表示される画像の右端を表示パネルの右端部に合わせる調整と、表示パネルに表示される画像の左端を表示パネルの左端部に合わせる調整と、表示パネルに表示される画像の上端を表示パネルの上端部に合わせる調整と、表示パネルに表示される画像の下端を表示パネルの下端部に合わせる調整との多くとも４回の調整で表示パネルに表示される画像の表示位置および表示サイズを最適に調整する構成としてもよい。この構成によれば、表示パネルに表示される画像の右端、左端、上端、下端を表示パネルの四辺の端部にそれぞれ合わせる調整を行うだけで表示パネルに表示される画像の表示位置および表示サイズを最適に調整することができるので、多くとも４回の調整で画像の表示位置および表示サイズの調整を行うことができる。
【００１７】
また、本発明の画像表示方法は、マトリクス駆動によって画像表示を行う表示パネルに表示位置および表示サイズを最適にして画像を表示する画像表示方法であって、画像信号がデジタル化されて生成された画素信号のメモリへの書き込み範囲を設定するとともにメモリから読み出された画素信号を間引いてその画素数を減少させるかまたは画素信号を補間してその画素数を増加させて表示パネルの所定の位置に表示することで、表示パネルに表示される画像の水平方向または垂直方向の表示位置および表示サイズの調整において、表示パネルに表示される画像の一方の端の位置を表示パネルに対して固定したまま他方の端の位置を調整することを特徴とする。
【００１８】
この方法によれば、表示パネルの水平方向または垂直方向において、表示パネルに表示される画像の一方の端の位置を表示パネルに対して固定したまま他方の端の位置を調整することができるようになるので、表示パネルに表示される画像の表示位置および表示サイズの調整を容易に行うことができるようになる。
【００１９】
また、画素信号を１水平同期期間にわたって書き込みできるラインメモリへの画素信号の書き込み範囲を設定するとともに、表示パネルに表示する画像の水平方向の表示サイズを圧縮させる場合には画素信号を間引いて１水平同期期間の画素数を減少させ、表示パネルに表示する画像の水平方向の表示サイズを伸長させる場合には画素信号を補間して１水平同期期間の画素数を増加させ、画素信号を１垂直同期期間にわたって書き込みできるフレームメモリへの画素信号の書き込み範囲を設定するとともに、表示パネルに表示する画像の垂直方向の表示サイズを圧縮させる場合には画素信号を１水平同期期間単位で間引いて１垂直同期期間の画素数を減少させ、表示パネルに表示する画像の垂直方向の表示サイズを伸長させる場合には画素信号を１水平同期期間単位で補間して１垂直同期期間の画素数を増加させ、ラインメモリから最初に読み出される画素信号およびフレームメモリから最初に読み出される１水平同期期間分の画素信号をそれぞれ表示パネルの所定の位置に表示し、表示パネルに表示される画像の水平方向および垂直方向のいずれにおいても、表示パネルに表示される画像の一方の端の位置を表示パネルに対して固定したまま他方の端の位置を調整するようにしてもよい。この方法によれば、表示パネルの水平方向、垂直方向のいずれにおいても、表示パネルに表示される画像の一方の端の位置を表示パネルに対して固定したまま他方の端の位置を調整することができるようになるので、表示パネルに表示される画像の水平方向および垂直方向の表示位置および表示サイズの調整を容易に行うことができるようになる。
【００２０】
また、１水平同期期間の画素数を減少させる場合には画素信号を間引いてラインメモリに書き込み、１水平同期期間の画素数を増加させる場合にはラインメモリに書き込まれた画素信号のうちの所定の画素信号を繰り返して読み出し、１垂直同期期間の画素数を減少させる場合には、画素信号を１水平同期期間単位で間引いてフレームメモリに書き込み、１垂直同期期間の画素数を増加させる場合には、フレームメモリに書き込まれた画素信号のうちの所定の１水平同期期間分の画素信号を繰り返して読み出し、ラインメモリから最初に読み出される画素信号を表示パネルの水平方向におけるいずれか一方の端部に表示し、フレームメモリから最初に読み出される１水平同期期間分の画素信号を表示パネルの上端部に表示して、表示パネルに表示される画像の右端を表示パネルの右端部に合わせる調整と、表示パネルに表示される画像の左端を表示パネルの左端部に合わせる調整と、表示パネルに表示される画像の上端を表示パネルの上端部に合わせる調整と、表示パネルに表示される画像の下端を表示パネルの下端部に合わせる調整との多くとも４回の調整で表示パネルに表示される画像の表示位置および表示サイズを最適に調整するようにしてもよい。この方法によれば、表示パネルに表示される画像の右端、左端、上端、下端を表示パネルの四辺の端部にそれぞれ合わせる調整を行うだけで表示パネルに表示される画像の表示位置および表示サイズを最適に調整することができるので、多くとも４回の調整で画像の表示位置および表示サイズの調整を行うことができる。
【発明の効果】
【００２１】
本発明によれば、ＰＤＰやＬＣＤ等のいわゆるマトリクス駆動によって画像表示を行うパネルに画像を表示する場合において、画像の表示位置および表示サイズの調整に要する回数を低減し、容易に表示位置および表示サイズを調整することができる画像表示装置および画像表示方法を提供することができる。
【発明を実施するための最良の形態】
【００２２】
以下、本発明の実施の形態について、図面を参照しながら説明する。
【００２３】
（実施の形態１）
図１は、本発明の実施の形態１における画像表示装置のＰＤＰ１０の構造を示す斜視図である。第１の基板であるガラス製の前面板２０上には、ストライプ状の走査電極２２とストライプ状の維持電極２３とで対をなす表示電極が複数形成されている。そして走査電極２２と維持電極２３とを覆うように誘電体層２４が形成され、その誘電体層２４上に保護層２５が形成されている。
【００２４】
第２の基板である背面板３０上には、走査電極２２および維持電極２３と立体交差するように、誘電体層３３で覆われた複数のストライプ状のデータ電極３２が形成されている。誘電体層３３上にはデータ電極３２と平行に複数の隔壁３４が配置され、この隔壁３４間の誘電体層３３上に蛍光体層３５が設けられている。また、データ電極３２は隣り合う隔壁３４の間の位置に配置されている。
【００２５】
これら前面板２０と背面板３０とは、走査電極２２および維持電極２３とデータ電極３２とが直交するように、微小な放電空間を挟んで対向配置されるとともに、その外周部をガラスフリット等の封着材によって封着している。そして放電空間には、例えばネオン（Ｎｅ）とキセノン（Ｘｅ）の混合ガスが放電ガスとして封入されている。放電空間は、隔壁３４によって複数の区画に仕切られており、各区画には赤色（Ｒ）、緑色（Ｇ）および青色（Ｂ）の各色に発光する蛍光体層３５が順次配置されている。そして、走査電極２２および維持電極２３とデータ電極３２とが交差する部分に放電セルが形成され、各色に発光する蛍光体層３５が形成された隣接する３つの放電セルにより１つの画素が構成される。この画素を構成する放電セルが形成された領域が画像表示領域となり、画像表示領域の周囲は、ガラスフリットが形成された領域等のように画像表示が行われない非表示領域となる。
【００２６】
図２は、本発明の実施の形態１における画像表示装置のＰＤＰ１０の電極配列図である。行方向にｎ行の走査電極ＳＣ１〜ＳＣｎ（図１の走査電極２２）とｎ行の維持電極ＳＵ１〜ＳＵｎ（図１の維持電極２３）とが交互に配列され、列方向にはｍ列のデータ電極Ｄ１〜Ｄｍ（図１のデータ電極３２）が配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に形成され、放電セルＣの総数は（ｍ×ｎ）個になる。
【００２７】
このような構成のＰＤＰにおいては、ガス放電により紫外線を発生させ、その紫外線でＲ、Ｇ、Ｂの各色の蛍光体を励起して発光させることによりカラー表示を行っている。
【００２８】
図３は、本発明の実施の形態１における画像表示装置の電気的構成を示すブロック図である。図３に示すプラズマディスプレイ装置は、ＡＤコンバータ１、画像信号処理回路２、サブフィールド処理回路３、データ電極駆動回路４、走査電極駆動回路５、維持電極駆動回路６、ＰＤＰ１０を備えている。
【００２９】
ＡＤコンバータ１は、入力されたアナログの画像信号をデジタルの画像信号、すなわち画素信号に変換する。画像信号処理回路２は、内部に表示画像調整部２１を有しており、ＰＤＰ１０に画像を最適に表示するために、入力された画素信号に対し、ＰＤＰ１０の水平、垂直方向における表示位置および表示サイズの調整を行う。この動作の詳細については後述する。そして、表示位置および表示サイズの調整が行われた画素信号を、入力された発光期間の重みの異なる複数のサブフィールドの組み合わせによってＰＤＰ１０に発光表示するため、１フィールドの画像信号から各サブフィールドの制御を行うサブフィールドデータに変換する。
【００３０】
サブフィールド処理回路３は、画像信号処理回路２で作成されたサブフィールドデータからデータ電極駆動回路用制御信号、走査電極駆動回路用制御信号および維持電極駆動回路用制御信号を生成し、データ電極駆動回路４、走査電極駆動回路５、維持電極駆動回路６へそれぞれ出力する。
【００３１】
ＰＤＰ１０は、上述したとおり、行方向にｎ行の走査電極ＳＣ１〜ＳＣｎとｎ行の維持電極ＳＵ１〜ＳＵｎとが交互に配列され、列方向にｍ列のデータ電極Ｄ１〜Ｄｍが配列されている。そして、一対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊが放電空間内に（ｍ×ｎ）個形成され、Ｒ、Ｇ、Ｂの各色に発光する３つの放電セルにより１つの画素が構成される。
【００３２】
データ電極駆動回路４は、各データ電極Ｄｊをそれぞれ独立して駆動することができる駆動回路を内部に備え、データ電極駆動回路用制御信号にもとづいて各データ電極Ｄｊを独立して駆動する。
【００３３】
走査電極駆動回路５は、各走査電極ＳＣ１〜ＳＣｎをそれぞれ独立して駆動することができる駆動回路を内部に備え、走査電極駆動回路用制御信号にもとづいて各走査電極ＳＣ１〜ＳＣｎを独立して駆動する。
【００３４】
維持電極駆動回路６は、ＰＤＰ１０の全ての維持電極ＳＵ１〜ＳＵｎをまとめて駆動することができる駆動回路を内部に備え、維持電極駆動回路用制御信号にもとづいて維持電極ＳＵ１〜ＳＵｎを駆動する。
【００３５】
次に、ＰＤＰ１０に表示する画像の表示位置および表示サイズを最適に調整するための処理について説明する。
【００３６】
図４は、本発明の実施の形態１における画像表示装置の画像信号処理回路２が有する表示画像調整部２１の電気的構成を示すブロック図である。
【００３７】
図４に示すように表示画像調整部２１は、入力された画素信号に対し、ＰＤＰ１０の水平方向における表示位置および表示サイズの調整を行う水平表示調整部４０と、同じく垂直方向における表示位置および表示サイズの調整を行う垂直表示調整部６０と、水平表示調整部４０および垂直表示調整部６０に対しての指示を出力する指示部２６とを備えている。なお、図示してはいないが、表示画像調整部２１には、入力された画像信号から分離された水平同期信号および垂直同期信号と、入力された画像信号に同期して作成されたクロック信号とが入力されている。そして、表示画像調整部２１が備える各回路ブロックは、そのクロック信号に同期して動作し、またその水平同期信号および垂直同期信号を基準にそれぞれの動作タイミングを決定して動作する構成となっている。
【００３８】
水平表示調整部４０は、ラインメモリ４１と、水平圧縮前処理部４２と、水平伸長後処理部４６と、ラインメモリ制御部５０とを備えており、入力された画素信号に対してＰＤＰ１０の水平方向における表示位置および表示サイズの調整を行うとともに、ＰＤＰ１０の画像表示領域における水平方向の表示画素数がＨ＿ＯＵＴであれば、水平方向の画素数がＨ＿ＯＵＴとなるような処理を施して出力する。
【００３９】
ラインメモリ４１は、書き込みおよび読み出しを任意に制御可能な一般に知られている半導体メモリからなり、１水平同期期間（以下、「１水平期間」と略記する）内の画素信号のうちラインメモリ制御部５０によって書き込みを許可された画素信号を記憶し、記憶した画素信号のうちラインメモリ制御部５０によって読み出しを指示された画素信号を出力する。
【００４０】
水平圧縮前処理部４２は、フィルタ部４３と、遅延時間調整部４４と、信号切り替え部４５とを備えている。信号切り替え部４５は、入力された画素信号に対し水平圧縮の処理（ＰＤＰ１０に表示される画像を水平方向に縮める処理）がなされる場合には、フィルタ部４３の出力信号を出力するように切り替わり、水平圧縮の処理がなされない場合には、遅延時間調整部４４を通過した画素信号を出力するように切り替わる。フィルタ部４３は内部に通過帯域の周波数特性が異なる複数のローパスフィルタを有している。このローパスフィルタは、入力された画素信号に対して水平圧縮が施された場合に現れる、一般に折り返し歪と呼ばれるノイズを低減させることを目的としたものである。そして、入力された画素信号に対して施す水平圧縮の割合（以下、「水平圧縮率」と略記する）に応じた最適なローパスフィルタが選択され、その選択されたローパスフィルタを通過した画素信号を出力する。遅延時間調整部４４は、入力された画素信号に対し、フィルタ部４３を画素信号が通過する際に生じる時間遅延と同等の時間遅延だけを施し、出力する。
【００４１】
ラインメモリ制御部５０は、水平位置調整部５１と、水平サイズ調整部５２と、画素信号間引き部５３と、画素信号補間部５４とを備えている。そして、水平圧縮前処理部４２から出力されてくる画素信号を入力画素信号とし、それをラインメモリ４１に書き込むための制御およびラインメモリ４１に記憶された画素信号を読み出すための制御を行う。
【００４２】
水平位置調整部５１は、水平同期信号を基準にしてラインメモリ４１の先頭に書き込む画素信号（以下、「先頭画素」と記す）を決定し、かつ入力された画素信号のうちラインメモリ４１に書き込む総画素数を決定する。そして、水平位置調整部５１によって決定された先頭画素から総画素数分の画素信号に対しラインメモリ４１への書き込みが許可される。なお、本発明の実施の形態１においては、ラインメモリ４１に書き込まれた先頭画素が、ＰＤＰ１０の画像表示領域のうちの左端（ＰＤＰ１０に向かって左端）に表示されるように構成されている。
【００４３】
水平サイズ調整部５２は、指示部２６から水平圧縮の処理または水平伸長の処理（ＰＤＰ１０に表示される画像を水平方向に伸ばす処理）の指示にもとづき、画素信号間引き部５３または画素信号補間部５４に対し画素信号間引きまたは画素信号補間の指示を出す。水平圧縮の場合、画素信号間引き部５３は、水平位置調整部５１によってラインメモリ４１への書き込みが許可された画素信号の中から、水平圧縮率にもとづきラインメモリ４１へ書き込む画素を選択し、その選択された画素信号をラインメモリ４１へ書き込む。例えば、ＰＤＰ１０に表示される画像を水平方向に２分の１に圧縮する場合には、水平位置調整部５１によって許可された画素信号を１画素おきにラインメモリ４１へ書き込む。これにより、水平位置調整部５１によって許可された画素信号の半分の画素信号がラインメモリ４１に書き込まれ、ＰＤＰ１０に表示される画像が水平方向に２分の１に圧縮される。なお、水平圧縮を施さない画素信号に対しては、水平位置調整部５１によって許可された画素信号の全てをラインメモリ４１に書き込む。
【００４４】
水平伸長の場合、画素信号補間部５４は、入力された画素信号に対して施す水平伸長の割合（以下、「水平伸長率」と略記する）にもとづき、ラインメモリ４１に記憶された画素信号を繰り返し読み出す。例えば、ＰＤＰ１０に表示される画像を水平方向に２倍に伸長する場合には、ラインメモリ４１に記憶された画素信号をそれぞれ２度ずつ繰り返して読み出す。これにより、ラインメモリ４１に記憶された画素信号の２倍の画素数の画素信号が読み出され、ＰＤＰ１０に表示される画像が水平方向に２倍に伸長される。なお、水平伸長を施さない場合は、ラインメモリ４１に記憶された画素信号の読み出しは１回だけとなる。なお、この画素信号間引き部５３および画素信号補間部５４の動作の図面を用いての説明は後述する。
【００４５】
水平伸長後処理部４６は、フィルタ部４７と、遅延時間調整部４８と、信号切り替え部４９とを備えている。そして、信号切り替え部４９は、入力された画素信号に対し水平伸長の処理がなされる場合にはフィルタ部４７の出力信号を出力するように切り替わり、水平伸長の処理がなされない場合には遅延時間調整部４８の出力信号を出力するように切り替わる。フィルタ部４３は、内部に周波数特性が異なる複数の補間フィルタを有しており、入力された画素信号に対する水平伸長率に応じた最適な補間フィルタが選択され、その選択された補間フィルタを通過した画素信号が出力される。この補間フィルタでは、水平伸長が施されラインメモリ４１から繰り返して読み出された隣接する画素信号間が滑らかな変化となるようなフィルタリングを施す。遅延時間調整部４８は、入力された画素信号に対し、フィルタ部４７を画素信号が通過する際に生じる時間遅延と同等の時間遅延だけを施し、出力する。
【００４６】
垂直表示調整部６０は、フレームメモリ６１と、垂直圧縮前処理部６２と、垂直伸長後処理部６６と、フレームメモリ制御部７０とを備えており、入力された画素信号に対してＰＤＰ１０の垂直方向における表示位置および表示サイズの調整を行うとともに、ＰＤＰ１０の画像表示領域における垂直方向の表示画素数がＶ＿ＯＵＴであれば、垂直方向の画素数がＶ＿ＯＵＴとなるような処理を施して出力する。
【００４７】
フレームメモリ６１は、書き込みおよび読み出しを任意に制御可能な一般に知られている半導体メモリからなり、１垂直同期期間（以下、「１垂直期間」と略記する）内の画素信号のうちフレームメモリ制御部７０によって書き込みを許可された画素信号を記憶し、記憶した画素信号のうちフレームメモリ制御部７０によって読み出しを指示された画素信号を出力する。なお、本実施の形態においては、フレームメモリ６１に書き込む画素信号の１水平期間における画素数は、ラインメモリ４１から読み出される画素数と同数となるようにしている。
【００４８】
垂直圧縮前処理部６２は、フィルタ部６３と、遅延時間調整部６４と、信号切り替え部６５とを備えている。信号切り替え部６５は、入力された画素信号に対し垂直圧縮の処理（ＰＤＰ１０に表示される画像を垂直方向に縮める処理）がなされる場合には、フィルタ部６３の出力信号を出力するように切り替わり、垂直圧縮の処理がなされない場合には、遅延時間調整部６４を通過した画素信号を出力するように切り替わる。フィルタ部６３は内部に通過帯域の周波数特性が異なる複数のローパスフィルタを有している。このローパスフィルタは、１水平期間を隔てて隣接する画素信号、すなわち垂直方向に隣接する画素信号間でフィルタリングを施すように構成され、入力された画素信号に対して垂直圧縮が施された場合に現れる、一般に折り返し歪と呼ばれるノイズを低減させることを目的としたものである。そして、フィルタ部６３は内部に通過帯域の周波数特性が異なる複数のローパスフィルタを有しており、入力された画素信号に対して施す垂直圧縮の割合（以下、「垂直圧縮率」と略記する）に応じた最適なローパスフィルタが選択され、その選択されたローパスフィルタを通過した画素信号を出力する。遅延時間調整部６４は、入力された画素信号に対し、フィルタ部６３を画素信号が通過する際に生じる時間遅延と同等の時間遅延だけを施し、出力する。
【００４９】
フレームメモリ制御部７０は、垂直位置調整部７１と、垂直サイズ調整部７２と、ライン間引き部７３と、ライン補間部７４とを備えている。そして、垂直圧縮前処理部６２から出力されてくる画素信号を入力画素信号とし、それをフレームメモリ６１に書き込むための制御およびフレームメモリ６１に記憶された画素信号を読み出すための制御を行う。
【００５０】
垂直位置調整部７１は、入力された画素信号のうち１水平期間分の画素信号（以下、「ライン」と略記する）のうちフレームメモリ６１の先頭に書き込むライン（以下、「先頭ライン」と記す）を、垂直同期信号および水平同期信号を基準にして決定し、かつ入力された画素信号のうちフレームメモリ６１に書き込む総ライン数を決定する。そして、垂直位置調整部７１によって決定された先頭ラインから総ライン数分の画素信号に対しフレームメモリ６１への書き込みが許可される。なお、本発明の実施の形態１においては、フレームメモリ６１に書き込まれた先頭ラインが、ＰＤＰ１０の画像表示領域のうちの上端に表示されるように構成されている。
【００５１】
垂直サイズ調整部７２は、指示部２６から垂直圧縮の処理または垂直伸長の処理（ＰＤＰ１０に表示される画像を垂直方向に伸ばす処理）の指示にもとづき、ライン間引き部７３またはライン補間部７４に対し画素信号のライン間における間引きまたは補間の指示を出す。垂直圧縮の場合、ライン間引き部７３は、垂直位置調整部７１によってフレームメモリ６１への書き込みが許可された画素信号の中から、垂直圧縮率にもとづきフレームメモリ６１へ書き込むラインを選択し、その選択されたラインにおける画素信号をフレームメモリ６１へ書き込む。例えば、ＰＤＰ１０に表示される画像を垂直方向に２分の１に圧縮する場合には、垂直位置調整部７１によって許可された画素信号を１ラインおきにフレームメモリ６１へ書き込む。これにより、垂直位置調整部７１によって許可された画素信号のうち半分のライン分の画素信号がフレームメモリ６１に書き込まれ、ＰＤＰ１０に表示される画像が垂直方向に２分の１に圧縮される。なお、垂直圧縮を施さない画素信号に対しては、垂直位置調整部７１によって許可された画素信号の全てをフレームメモリ６１に書き込む。
【００５２】
垂直伸長の場合、ライン補間部７４は、入力された画素信号に対して施す垂直伸長の割合（以下、「垂直伸長率」と略記する）にもとづき、フレームメモリ６１に記憶された画素信号をライン単位で繰り返し読み出す。例えば、ＰＤＰ１０に表示される画像を垂直方向に２倍に伸長する場合には、フレームメモリ６１に記憶された画素信号をライン単位でそれぞれ２度ずつ繰り返して読み出す。これにより、フレームメモリ６１に記憶された画素信号が２倍のライン数の画素信号として読み出され、ＰＤＰ１０に表示される画像が垂直方向に２倍に伸長される。なお、垂直伸長を施さない場合は、フレームメモリ６１に記憶された画素信号の読み出しはそれぞれ１回だけとなる。なお、このライン間引き部７３およびライン補間部７４の動作の図面を用いての説明は後述する。
【００５３】
垂直伸長後処理部６６は、フィルタ部６７と、遅延時間調整部６８と、信号切り替え部６９とを備えている。そして、信号切り替え部６９は、入力された画素信号に対し垂直伸長の処理がなされる場合にはフィルタ部６７の出力信号を出力するように切り替わり、垂直伸長の処理がなされない場合には遅延時間調整部６８の出力信号を出力するように切り替わる。フィルタ部６７は、内部に周波数特性が異なる複数の補間フィルタを有しており、入力された画素信号に対する垂直伸長率に応じた最適な補間フィルタが選択され、その選択された補間フィルタを通過した画素信号が出力される。この補間フィルタでは、垂直伸長が施され、フレームメモリ６１からライン単位で繰り返して読み出された画素信号が１水平期間を隔てて隣接する間、すなわち垂直方向に隣接する画素信号間で滑らかな変化となるようなフィルタリングを施す。遅延時間調整部６８は、入力された画素信号に対し、フィルタ部６７を画素信号が通過する際に生じる時間遅延と同等の時間遅延だけを施し、出力する。なお、ラインメモリ４１およびフレームメモリ６１に使用するメモリの容量は、入力される画像信号の種類と使用するクロックの周波数等とにもとづき想定される最大の画素数を記憶できるだけの大きさとしておく。
【００５４】
図５は、本発明の実施の形態１における画像表示装置の画像信号処理回路２が有する表示画像調整部２１における画素信号のラインメモリ４１およびフレームメモリ６１への書き込み範囲を模式的に示した概略図である。図５（ａ）は、１フレーム期間の画素信号と、ラインメモリ４１およびフレームメモリ６１への書き込み範囲を示した概略図であり、図５（ｂ）は、１水平期間の画素信号とラインメモリ４１への書き込み範囲を示した概略図であり、図５（ｃ）は、１垂直期間の画素信号とフレームメモリ６１への書き込み範囲を示した概略図である。
【００５５】
図５（ａ）に示すように、本発明の実施の形態１においては、入力された画素信号の１水平期間における画素数をＨ＿ＴＯＴＡＬ、１垂直期間におけるライン数をＶ＿ＴＯＴＡＬとしたとき、ラインメモリ４１に書き込む１水平期間の画素数Ｈｓおよびフレームメモリ６１に書き込む１垂直期間のライン数Ｖｓは、最大でもそれぞれＨ＿ＴＯＴＡＬ、Ｖ＿ＴＯＴＡＬ以下となる。具体的には、図５（ｂ）に示すように、入力された画素信号の１水平期間における画素数Ｈ＿ＴＯＴＡＬがｎ画素、ラインメモリ４１に書き込まれる先頭画素Ｈｐが水平同期信号を基準に４番目の画素、ラインメモリ４１に書き込む１水平期間の画素数Ｈｓが（ｎ−６）画素の場合、水平同期信号を基準に４番目の画素から（ｎ−３）番目の画素までがラインメモリ４１に書き込まれる。また、図５（ｂ）に示すように、入力された画素信号の１垂直期間におけるライン数Ｖ＿ＴＯＴＡＬがｍライン、フレームメモリ６１に書き込まれる先頭ラインＶｐが垂直同期信号を基準に４番目のライン、フレームメモリ６１に書き込む１垂直期間のライン数Ｖｓが（ｍ−６）ラインの場合、垂直同期信号を基準に４番目のラインから（ｎ−３）番目のラインまでがフレームメモリ６１に書き込まれる。なお、上述したように、フレームメモリ６１に書き込まれる画素信号の１水平期間における画素数は、ラインメモリ４１から読み出される画素数と同数である。
【００５６】
図６は、本発明の実施の形態１における画像表示装置の画像信号処理回路２が有する表示画像調整部２１において処理された画素信号のＰＤＰ１０への表示を模式的に示した概略図である。図６に示すように、ラインメモリ４１に書き込まれる先頭画素Ｈｐ（水平同期信号を基準にＨｐ番目の画素）は、ＰＤＰ１０の画像表示領域のうちの左端（ＰＤＰ１０に向かって左端）に表示され、フレームメモリ６１に書き込まれる先頭ラインＶｐ（垂直同期信号を基準にＶｐ番目のライン）は、ＰＤＰ１０の画像表示領域のうちの上端に表示される。また、ＰＤＰ１０の画像表示領域における水平方向の画素数がＨ＿ＯＵＴ、垂直方向のライン数がＶ＿ＯＵＴであれば、表示画像調整部２１では、入力された画素信号、すなわちラインメモリ４１に書き込まれた１水平期間の画素数Ｈｓおよびフレームメモリ６１に書き込まれた１垂直期間のライン数Ｖｓの画素信号に対し、水平方向の画素数がＨ＿ＯＵＴ、垂直方向のライン数がＶ＿ＯＵＴとなるような水平伸長率または水平圧縮率および垂直伸長率または垂直圧縮率で処理を施すことによってＰＤＰ１０の画像表示領域における表示画素数と一致させ、それにより入力された画素信号をＰＤＰ１０に表示させることが可能となる。
【００５７】
次に、画素信号間引き部５３および画素信号補間部５４の動作について、図面を用いて説明する。図７は、本発明の実施の形態１における画像表示装置の画像信号処理回路２が有する表示画像調整部２１における画素信号の水平圧縮および水平伸長の処理を模式的に示した概略図である。図７（ａ）は、水平圧縮の処理を模式的に示した概略図であり、図７（ｂ）は、水平伸長の処理を模式的に示した概略図である。
【００５８】
図７（ａ）に示すように、入力された画素信号に対して水平圧縮を行う場合、まずは、水平圧縮前処理部４２のフィルタ部４３において、入力された画素信号に対し、水平圧縮率に応じたローパスフィルタが掛けられる。これにより、水平圧縮後に折り返し歪等のノイズが発生することを抑制する。次に、例えば、２分の１に水平圧縮する場合には入力された画素数を２分の１にすればよいので、画素信号間引き部５３では、ローパスフィルタ通過後の画素信号を１画素おきにラインメモリ４１に書き込む。そして、ラインメモリ４１から、書き込まれた画素信号を書き込まれた順番で読み出す。こうして、入力された画素数を２分の１に間引く。また、３分の２に水平圧縮する場合であれば、画素信号間引き部５３は、ローパスフィルタ通過後の画素信号の隣接する３画素のうちの２画素をラインメモリ４１に書き込み、あるいは８分の７に水平圧縮する場合であれば隣接する８画素のうちの７画素をラインメモリ４１に書き込む。このようにして、入力された画素信号に対し、折り返し歪等のノイズが発生することを抑制しつつ任意の圧縮率で水平方向への圧縮を行うことが可能となる。
【００５９】
次に、図７（ｂ）に示すように、入力された画素信号に対して水平伸長を行う場合、例えば、２倍に水平伸長する場合には入力された画素数を２倍にすればよいので、画素信号補間部５４では、ラインメモリ４１に書き込まれた画素信号を、それぞれ２度ずつ繰り返して読み出す。こうして、入力された画素数を２倍にする。また、３分の５倍に水平伸長する場合であれば、画素信号補間部５４は、ラインメモリ４１に書き込まれた画素信号の隣接する３画素のうちの２画素を２度繰り返して読み出すことで入力された３画素を５画素にして出力し、あるいは７分の８倍に水平伸長する場合であれば隣接する７画素のうちの１画素だけを２度繰り返して読み出すことで入力された７画素を８画素にして出力する。その後、水平伸長の処理がなされた画素信号に対し、水平伸長率に応じた最適な補間フィルタが掛けられる。これにより、ラインメモリ４１から繰り返して読み出された隣接する画素信号間が滑らかな変化となるようなフィルタリングが施される。このようにして、入力された画素信号に対し、隣接する画素信号間が滑らかな変化となるようなフィルタリングが施されつつ任意の伸長率で水平方向への伸長を行うことが可能となる。
【００６０】
そして、図７（ａ）、（ｂ）に示したこれらの処理を、ラインメモリ４１に書き込む先頭画素Ｈｐを基準に開始する構成とすることで、水平圧縮や水平伸長にかかわらず、常に先頭画素ＨｐがＰＤＰ１０の有効表示領域の左端に表示される。
【００６１】
次に、ライン間引き部７３およびライン補間部７４の動作について、図面を用いて説明する。図８は、本発明の実施の形態１における画像表示装置の画像信号処理回路２が有する表示画像調整部２１における画素信号の垂直圧縮および垂直伸長の処理を模式的に示した概略図である。図８（ａ）は、垂直圧縮の処理を模式的に示した概略図であり、図８（ｂ）は、垂直伸長の処理を模式的に示した概略図である。
【００６２】
図８（ａ）に示すように、入力された画素信号に対して垂直圧縮を行う場合、まずは、垂直圧縮前処理部６２のフィルタ部６３において、入力された画素信号に対し、垂直圧縮率に応じたローパスフィルタが、１水平期間を隔てて隣接する画素間、すなわち垂直方向に隣接する画素間に掛けられる。これにより、垂直圧縮後に折り返し歪等のノイズが発生することを抑制する。次に、例えば、２分の１に垂直圧縮する場合には入力されたライン数を２分の１にすればよいので、ライン間引き部７３では、ローパスフィルタ通過後の画素信号を１ラインおきにフレームメモリ６１に書き込む。そして、フレームメモリ６１から、書き込まれた画素信号を書き込まれた順番で読み出す。こうして、入力された画素信号のライン数を２分の１に間引く。また、垂直方向に３分の２に圧縮する場合であれば、ライン間引き部７３は、ローパスフィルタ通過後の画素信号の垂直方向に隣接する３ラインのうちの２ラインをフレームメモリ６１に書き込み、あるいは８分の７に垂直圧縮する場合であれば垂直方向に隣接する８ラインのうちの７ラインをフレームメモリ６１に書き込む。このようにして、入力された画素信号に対し、折り返し歪等のノイズが発生することを抑制しつつ任意の圧縮率で垂直方向への圧縮を行うことが可能となる。
【００６３】
次に、図８（ｂ）に示すように、入力された画素信号に対して垂直伸長を行う場合、例えば、２倍に垂直伸長する場合には入力された画素信号のライン数を２倍にすればよいので、ライン補間部７４では、フレームメモリ６１に書き込まれた画素信号を、それぞれライン単位で２度ずつ繰り返して読み出す。こうして、入力された画素信号のライン数を２倍にする。また、３分の５倍に垂直伸長する場合であれば、ライン補間部７４は、フレームメモリ６１に書き込まれた画素信号の垂直方向に隣接する３ラインのうちの２ラインを２度繰り返して読み出すことで入力された画素信号の３ラインを５ラインにして出力し、あるいは７分の８倍に垂直伸長する場合であれば垂直方向に隣接する７ラインのうちの１ラインだけを２度繰り返して読み出すことで入力された画素信号の７ラインを８ラインにして出力する。その後、垂直伸長の処理がなされた画素信号に対し、垂直伸長率に応じた最適な補間フィルタが掛けられる。これにより、フレームメモリ６１から繰り返して読み出された画素信号の垂直方向に隣接する画素信号間が滑らかな変化となるようなフィルタリングが施される。このようにして、入力された画素信号に対し、垂直方向に隣接する画素信号間が滑らかな変化となるようなフィルタリングが施されつつ任意の伸長率で垂直方向への伸長を行うことが可能となる。
【００６４】
そして、図８（ａ）、（ｂ）に示したこれらの処理を、フレームメモリ６１に書き込む先頭ラインＶｐを基準に開始する構成とすることで、垂直圧縮や垂直伸長にかかわらず、常に先頭ラインＶｐがＰＤＰ１０の有効表示領域の上端に表示される。
【００６５】
次に、ＰＤＰ１０に表示された画像を最適な表示位置、表示サイズに調整する手順について図面を用いて説明する。図９は、本発明の実施の形態１における画像表示装置のＰＤＰ１０に表示された画像を最適な表示位置、表示サイズに調整する手順について示した概略図である。図９（ａ）に示すように、初期状態においてＰＤＰ１０に表示された画像が最適な表示位置、表示サイズになっていなければ、図９（ｂ）に示すように、まず、表示された画像の左端（ＰＤＰ１０に向かって左端）をＰＤＰ１０の有効表示領域の左端に一致するように調整する。このとき、本発明の実施の形態１においては、表示された画像の右端が移動しないように水平伸長がなされる。次に、図９（ｃ）に示すように、表示された画像の右端がＰＤＰ１０の有効表示領域の右端に一致するように調整する。そして、このとき、本発明の実施の形態１においては、表示された画像の左端が移動しないように水平伸長がなされるため、表示された画像の左端と右端とをそれぞれ１回ずつ調整するだけで、ＰＤＰ１０の有効表示領域に対し最適な水平表示位置、水平表示サイズに調整することができる。
【００６６】
次に、図９（ｄ）に示すように、表示された画像の上端（ＰＤＰ１０に向かって上端）をＰＤＰ１０の有効表示領域の上端に一致するように調整する。このとき、本発明の実施の形態１においては、表示された画像の下端が移動しないように垂直伸長がなされる。次に、図９（ｅ）に示すように、表示された画像の下端がＰＤＰ１０の有効表示領域の下端に一致するように調整する。そして、このとき、本発明の実施の形態１においては、表示された画像の上端が移動しないように垂直伸長がなされるため、表示された画像の上端と下端とをそれぞれ１回ずつ調整するだけで、ＰＤＰ１０の有効表示領域に対し最適な垂直表示位置、垂直表示サイズに調整することができる。したがって、本発明の実施の形態１においては、合計４回の調整を行うだけで、ＰＤＰ１０の有効表示領域に対し、水平、垂直ともに最適な表示位置、表示サイズに調整することができる。
【００６７】
図１０は、本発明の実施の形態１における画像表示装置のＰＤＰ１０に表示された画像を最適な表示位置、表示サイズに調整する際の動作を示すフローチャートである。まず、入力された画像信号に関し１垂直期間における水平同期信号の数がカウントされ、画像信号の種類が推定される（Ｓ１０）。
【００６８】
その推定結果にもとづき、あらかじめ記憶部（図示せず）等に記憶させておいた初期値データを読み出し、ラインメモリ４１に書き込む先頭画素Ｈｐ、フレームメモリ６１に書き込む先頭ラインＶｐ、ラインメモリ４１に書き込む１水平期間の画素数Ｈｓ、フレームメモリ６１に書き込む１垂直期間のライン数Ｖｓのそれぞれの初期値として設定する。また、ＰＤＰ１０の有効表示領域における水平方向の画素数Ｈ＿ＯＵＴをＨｓで除算することで水平伸長率Ｈｘの初期値を求め、ＰＤＰ１０の有効表示領域における垂直方向の画素数Ｖ＿ＯＵＴをＶｓで除算することで垂直伸長率Ｖｘの初期値を求めて、それぞれの初期値として設定する。これにより、ラインメモリ４１に書き込まれた１水平期間の画素数ＨｓがＨｘ倍（以下、「水平伸長率Ｈｘ」と記す）されてＰＤＰ１０の有効表示領域における水平方向の画素数Ｈ＿ＯＵＴに等しくなり、フレームメモリ６１に書き込まれた１垂直期間のライン数ＶｓがＶｘ倍（以下、「垂直伸長率Ｖｘ」と記す）されてＰＤＰ１０の有効表示領域における垂直方向の画素数Ｖ＿ＯＵＴに等しくなることで、入力された画素信号がＰＤＰ１０に表示される（Ｓ１１）。
【００６９】
このとき、ＰＤＰ１０に表示されている画像は、その表示位置および表示サイズが初期値のままとなっているため、表示画像がＰＤＰ１０の有効表示領域に対して最適に表示されているかどうかは、実際にＰＤＰ１０に画像を表示してみなければわからない。そして、ＰＤＰ１０に対して表示画像が最適になっておらず、使用者等によって表示位置および表示サイズの調整がプラズマディスプレイ装置に指示されれば、表示画像調整部２１の指示部２６は使用者からの指示を受け付け、その受け付けた指示にもとづき各回路ブロックに指示を出す（Ｓ１２）。
【００７０】
そして、表示された画像の左端（ＰＤＰ１０に向かって左端）の位置調整が使用者により指示されれば、指示部２６は、その指示にもとづきラインメモリ４１に書き込む先頭画素Ｈｐおよび水平伸長率Ｈｘを調整して、表示された画像の右端がＰＤＰ１０の有効表示領域に対して移動しないように水平伸長を行い、表示された画像の左端をＰＤＰ１０の有効表示領域の左端に近づける（Ｓ２０）。なお、ステップＳ２０の詳細については後述する。
【００７１】
また、表示された画像の右端（ＰＤＰ１０に向かって右端）の位置調整が使用者により指示されれば、指示部２６は、その指示にもとづき水平伸長率Ｈｘを調整して、表示された画像の右端をＰＤＰ１０の有効表示領域の右端に近づける（Ｓ３０）。なお、ステップＳ３０の詳細については後述する。
【００７２】
また、表示された画像の上端（ＰＤＰ１０に向かって上端）の位置調整が使用者により指示されれば、指示部２６は、その指示にもとづきフレームメモリ６１に書き込む先頭ラインＶｐおよび垂直伸長率Ｖｘを調整して、表示された画像の下端がＰＤＰ１０の有効表示領域に対して移動しないように垂直伸長を行い、表示された画像の上端をＰＤＰ１０の有効表示領域の上端に近づける（Ｓ４０）。なお、ステップＳ４０の詳細については後述する。
【００７３】
また、表示された画像の下端（ＰＤＰ１０に向かって下端）の位置調整が使用者により指示されれば、指示部２６は、その指示にもとづき垂直伸長率Ｖｘを調整して、表示された画像の下端をＰＤＰ１０の有効表示領域の下端に近づける（Ｓ５０）。なお、ステップＳ５０の詳細については後述する。
【００７４】
そして、調整の終了が使用者によって指示されれば（Ｓ６０）、表示画像の表示位置および表示サイズの調整は終了し、調整された表示位置および表示サイズでＰＤＰ１０に画像が表示される。調整が継続される場合には、ステップＳ２０に戻り、指示部２６は使用者による調整の指示を引き続き受け付ける。こうして、ＰＤＰ１０の有効表示領域に対する表示画像の表示位置および表示サイズの調整がなされる。
【００７５】
図１１は、図１０に示したステップＳ２０における動作の詳細を示すフローチャートである。
【００７６】
ステップＳ２０では、まず、使用者により、表示された画像の左端の位置調整が指示されているかどうかが判断される（Ｓ２１０）。そして、表示された画像の左端の位置調整が指示されていれば、まずＨｔに初期値０が代入される（Ｓ２２０）。ここでＨｔは、表示された画像の左端のＰＤＰ１０の有効表示領域における移動画素数である。Ｈｔが１であれば、表示された画像の左端がＰＤＰ１０の有効表示領域において１画素左方向に移動することを表す。
【００７７】
次に、使用者が表示された画像の左端をＰＤＰ１０の有効表示領域に対して右方向に移動させたいのか、左方向に移動させたいのかが判断される（Ｓ２３０）。そして、左方向に移動させたいという指示であれば、Ｈｔに１が加えられ（Ｓ２４０）、右方向に移動させたいという指示であれば、Ｈｔから１が引かれる（Ｓ２５０）。そして、ラインメモリ４１に書き込む先頭画素Ｈｐの位置が、Ｈｐ＋Ｈｔ／Ｈｘ（Ｈｘは水平伸長率）の計算にもとづき変更され、それにより、ＰＤＰ１０の有効表示領域における表示画像の左端の位置が変更される（Ｓ２６０）。
【００７８】
次に、水平伸長率ＨｘがＨｘ×（Ｈ＿ＯＵＴ／（Ｈ＿ＯＵＴ−Ｈｔ））の計算にもとづいて変更される。このとき、Ｈｘが１より大きければ表示画像は水平方向に伸長され、Ｈｘが１より小さければ表示画像は水平方向に圧縮される。そして、これにより、表示画像の右端の位置がＰＤＰ１０の有効表示領域に対して一定に保たれる。なお、このとき、ラインメモリ４１に書き込む画素数Ｈｓは、計算された水平伸長率Ｈｘにもとづいて変更され、水平表示調整部４０から出力される画素信号の１水平期間における画素数は、ＰＤＰ１０の有効表示領域における水平方向の画素数Ｈ＿ＯＵＴに等しく保たれる（Ｓ２７０）。
【００７９】
表示された画像の左端の位置調整が継続される場合には、ステップＳ２３０に戻って一連の調整を繰り返し、終了する場合には、次のステップに進む（Ｓ２８０）。
【００８０】
以上の処理により、表示された画像の左端のＰＤＰ１０の有効表示領域に対する位置調整がなされる。
【００８１】
図１２は、図１０に示したステップＳ３０における動作の詳細を示すフローチャートである。
【００８２】
ステップＳ３０では、まず、使用者により、表示された画像の右端の位置調整が指示されているかどうかが判断される（Ｓ３１０）。そして、表示された画像の右端の位置調整が指示されていれば、まずＨｔに初期値０が代入される（Ｓ３２０）。ここでＨｔは、表示された画像の右端のＰＤＰ１０の有効表示領域における移動画素数である。Ｈｔが１であれば、表示された画像の右端がＰＤＰ１０の有効表示領域において１画素右方向に移動することを表す。
【００８３】
次に、使用者が表示された画像の右端をＰＤＰ１０の有効表示領域に対して右方向に移動させたいのか、左方向に移動させたいのかが判断される（Ｓ３３０）。そして、右方向に移動させたいという指示であれば、Ｈｔに１が加えられ（Ｓ３４０）、左方向に移動させたいという指示であれば、Ｈｔから１が引かれる（Ｓ３５０）。
【００８４】
そして、水平伸長率ＨｘがＨｘ×（Ｈ＿ＯＵＴ／（Ｈ＿ＯＵＴ−Ｈｔ））の計算にもとづいて変更される。このとき、Ｈｘが１より大きければ表示画像は水平方向に伸長され、Ｈｘが１より小さければ表示画像は水平方向に圧縮される。そして、この表示画像の水平伸長率の変更により、表示画像の右端の位置がＰＤＰ１０の有効表示領域に対して移動する。なお、このとき、ラインメモリ４１に書き込む画素数Ｈｓは、計算された水平伸長率Ｈｘにもとづいて変更され、水平表示調整部４０から出力される画素信号の１水平期間における画素数は、ＰＤＰ１０の有効表示領域における水平方向の画素数Ｈ＿ＯＵＴに等しく保たれる（Ｓ３７０）。
【００８５】
表示された画像の右端の位置調整が継続される場合には、ステップＳ３３０に戻って一連の調整を繰り返し、終了する場合には、次のステップに進む（Ｓ３８０）。
【００８６】
以上の処理により、表示された画像の右端のＰＤＰ１０の有効表示領域に対する位置調整がなされる。
【００８７】
図１３は、図１０に示したステップＳ４０における動作の詳細を示すフローチャートである。
【００８８】
ステップＳ４０では、まず、使用者により、表示された画像の上端の位置調整が指示されているかどうかが判断される（Ｓ４１０）。そして、表示された画像の上端の位置調整が指示されていれば、まずＶｔに初期値０が代入される（Ｓ４２０）。ここでＶｔは、表示された画像の上端のＰＤＰ１０の有効表示領域における移動ライン数である。Ｖｔが１であれば、表示された画像の上端がＰＤＰ１０の有効表示領域において１ライン上方向に移動することを表す。
【００８９】
次に、使用者が表示された画像の上端をＰＤＰ１０の有効表示領域に対して上方向に移動させたいのか、下方向に移動させたいのかが判断される（Ｓ４３０）。そして、上方向に移動させたいという指示であれば、Ｖｔに１が加えられ（Ｓ４４０）、下方向に移動させたいという指示であれば、Ｖｔから１が引かれる（Ｓ４５０）。そして、フレームメモリ６１に書き込む先頭画素Ｖｐの位置が、Ｖｐ＋Ｖｔ／Ｖｘ（Ｖｘは垂直伸長率）の計算にもとづき変更され、それにより、ＰＤＰ１０の有効表示領域における表示画像の上端の位置が変更される（Ｓ４６０）。
【００９０】
次に、垂直伸長率ＶｘがＶｘ×（Ｖ＿ＯＵＴ／（Ｖ＿ＯＵＴ−Ｖｔ））の計算にもとづいて変更される。このとき、Ｖｘが１より大きければ表示画像は垂直方向に伸長され、Ｖｘが１より小さければ表示画像は垂直方向に圧縮される。そして、これにより、表示画像の下端の位置がＰＤＰ１０の有効表示領域に対して一定に保たれる。なお、このとき、フレームメモリ６１に書き込む画素信号のライン数Ｖｓは、計算された垂直伸長率Ｖｘにもとづいて変更され、垂直表示調整部６０から出力される画素信号の１垂直期間におけるライン数は、ＰＤＰ１０の有効表示領域における垂直方向の画素数Ｖ＿ＯＵＴに等しく保たれる（Ｓ４７０）。
【００９１】
表示された画像の上端の位置調整が継続される場合には、ステップＳ４３０に戻って一連の調整を繰り返し、終了する場合には、次のステップに進む（Ｓ４８０）。
【００９２】
以上の処理により、表示された画像の上端のＰＤＰ１０の有効表示領域に対する位置調整がなされる。
【００９３】
図１４は、図１０に示したステップＳ５０における動作の詳細を示すフローチャートである。
【００９４】
ステップＳ５０では、まず、使用者により、表示された画像の下端の位置調整が指示されているかどうかが判断される（Ｓ５１０）。そして、表示された画像の下端の位置調整が指示されていれば、まずＶｔに初期値０が代入される（Ｓ５２０）。ここでＶｔは、表示された画像の下端のＰＤＰ１０の有効表示領域における移動ライン数である。Ｖｔが１であれば、表示された画像の下端がＰＤＰ１０の有効表示領域において１ライン下方向に移動することを表す。
【００９５】
次に、使用者が表示された画像の下端をＰＤＰ１０の有効表示領域に対して下方向に移動させたいのか、上方向に移動させたいのかが判断される（Ｓ５３０）。そして、下方向に移動させたいという指示であれば、Ｖｔに１が加えられ（Ｓ５４０）、上方向に移動させたいという指示であれば、Ｖｔから１が引かれる（Ｓ５５０）。
【００９６】
そして、垂直伸長率ＶｘがＶｘ×（Ｖ＿ＯＵＴ／（Ｖ＿ＯＵＴ−Ｖｔ））の計算にもとづいて変更される。このとき、Ｖｘが１より大きければ表示画像は垂直方向に伸長され、Ｖｘが１より小さければ表示画像は垂直方向に圧縮される。そして、この表示画像の垂直伸長率の変更により、表示画像の下端の位置がＰＤＰ１０の有効表示領域に対して移動する。なお、このとき、フレームメモリ６１に書き込む画素信号のライン数Ｖｓは、計算された垂直伸長率Ｖｘにもとづいて変更され、垂直表示調整部６０から出力される画素信号の１垂直期間におけるライン数は、ＰＤＰ１０の有効表示領域における垂直方向の画素数Ｖ＿ＯＵＴに等しく保たれる（Ｓ５７０）。
【００９７】
表示された画像の下端の位置調整が継続される場合には、ステップＳ５３０に戻って一連の調整を繰り返し、終了する場合には、次のステップに進む（Ｓ５８０）。
【００９８】
以上の処理により、表示された画像の下端のＰＤＰ１０の有効表示領域に対する位置調整がなされる。
【００９９】
以上、本発明の実施の形態１によれば、ＰＤＰやＬＣＤ等のいわゆるマトリクス駆動によって画像表示を行うパネルの有効表示領域に対して画像を最適に表示するための画像の表示位置および表示サイズの調整において、表示された画像の右端、左端、上端および下端に対しそれぞれ１回ずつの調整、すなわち最大でも４回の調整をするだけで、表示画像をパネルの有効表示領域に対し最適な表示位置および表示サイズに調整することが可能となる。
【０１００】
なお、本発明の実施の形態１においては、Ａ／Ｄ変換された画像信号、すなわち画素信号に対して表示位置および表示サイズの調整に関する処理を行っている。したがって、それらの処理において行われる画素信号への処理は整数値を基本としているが、各種演算の結果、例えばＨｓやＶｓ、Ｈｐ、Ｖｐ等に対し小数を伴った処理が発生した場合には、近似する整数値に置き換えて処理を行う。
【０１０１】
また、本発明の実施の形態１では、表示画像の左端の調整の際に、表示画像の右端の位置がＰＤＰ１０の有効表示領域に対して一定に保たれ、表示画像の上端の調整の際に、表示画像の下端の位置がＰＤＰ１０の有効表示領域に対して一定に保たれる構成を説明したが、これは単に一例を示したに過ぎない。図１５は、本発明の実施の形態１における画像表示装置のＰＤＰ１０に表示された画像を最適な表示位置、表示サイズに調整する手順の他の例について示した概略図である。なお、図１５に示した調整は図９に示した調整と、図１５（ｂ）に示す表示画像の左端の調整、および図１５（ｄ）に示す表示画像の上端の調整が異なるだけで、それ以外の調整は図９と同様である。例えば、図１１におけるステップＳ２７０および図１３におけるステップＳ４７０の処理を省いた構成とし、図１５（ｂ）に示すように表示画像の左端の調整の際に表示画像の右端の位置がＰＤＰ１０の有効表示領域に対して移動し、あるいは図１５（ｄ）に示すように表示画像の上端の調整の際に表示画像の下端の位置がＰＤＰ１０の有効表示領域に対して移動する構成であっても、図１５に示すように最大４回の調整をするだけで、表示画像をパネルの有効表示領域に対し最適な表示位置および表示サイズに調整することは可能である。
【産業上の利用可能性】
【０１０２】
本発明に係る画像表示装置および画像表示方法は、ＰＤＰやＬＣＤ等のいわゆるマトリクス駆動によって画像表示を行うパネルに画像を表示する場合において、画像の表示位置および表示サイズの調整に要する回数を低減し、容易に表示位置および表示サイズを調整することができる画像表示装置および画像表示方法として有用である。
【図面の簡単な説明】
【０１０３】
【図１】本発明の実施の形態１における画像表示装置のＰＤＰの構造を示す斜視図
【図２】同画像表示装置のＰＤＰの電極配列図
【図３】同画像表示装置の電気的構成を示すブロック図
【図４】同画像表示装置の画像信号処理回路が有する表示画像調整部の電気的構成を示すブロック図
【図５】同画像表示装置の画像信号処理回路が有する表示画像調整部における画素信号のラインメモリおよびフレームメモリへの書き込み範囲を模式的に示した概略図
【図６】同画像表示装置の画像信号処理回路が有する表示画像調整部において処理された画素信号のＰＤＰへの表示を模式的に示した概略図
【図７】同画像表示装置の画像信号処理回路が有する表示画像調整部における画素信号の水平圧縮および水平伸長の処理を模式的に示した概略図
【図８】同画像表示装置の画像信号処理回路が有する表示画像調整部における画素信号の垂直圧縮および垂直伸長の処理を模式的に示した概略図
【図９】同画像表示装置におけるＰＤＰに表示された画像を最適な表示位置、表示サイズに調整する手順について示した概略図
【図１０】同画像表示装置のＰＤＰに表示された画像を最適な表示位置、表示サイズに調整する際の動作を示すフローチャート
【図１１】図１０に示したステップＳ２０における動作の詳細を示すフローチャート
【図１２】図１０に示したステップＳ３０における動作の詳細を示すフローチャート
【図１３】図１０に示したステップＳ４０における動作の詳細を示すフローチャート
【図１４】図１０に示したステップＳ５０における動作の詳細を示すフローチャート
【図１５】本発明の実施の形態１における画像表示装置のＰＤＰに表示された画像を最適な表示位置、表示サイズに調整する手順の他の例について示した概略図
【図１６】従来技術における画像信号の処理の概略を示したフローチャート
【図１７】従来技術によるパネルの表示領域に対する表示画像の水平方向の表示位置および表示サイズの調整手順を示す概略図
【符号の説明】
【０１０４】
１    ＡＤコンバータ
２    画像信号処理回路
３    サブフィールド処理回路
４    データ電極駆動回路
５    走査電極駆動回路
６    維持電極駆動回路
１０    プラズマディスプレイパネル（ＰＤＰ）
２０    （ガラス製の）前面板
２１    表示画像調整部
２２    走査電極
２３    維持電極
２４，３３    誘電体層
２５    保護層
２６    指示部
３０    背面板
３２    データ電極
３４    隔壁
３５    蛍光体層
４０    水平表示調整部
４１    ラインメモリ
４２    水平圧縮前処理部
４３，４７，６３，６７    フィルタ部
４４，４８，６４，６８    遅延時間調整部
４５，４９，６５，６９    信号切り替え部
４６    水平伸長後処理部
５０    ラインメモリ制御部
５１    水平位置調整部
５２    水平サイズ調整部
５３    画素信号間引き部
５４    画素信号補間部
６０    垂直表示調整部
６１    フレームメモリ
６２    垂直圧縮前処理部
６６    垂直伸長後処理部
７０    フレームメモリ制御部
７１    垂直位置調整部
７２    垂直サイズ調整部
７３    ライン間引き部
７４    ライン補間部
【図１】
2006293205.tif 000003
【図２】
2006293205.tif 000004
【図３】
2006293205.tif 000005
【図４】
2006293205.tif 000006
【図５】
2006293205.tif 000007
【図６】
2006293205.tif 000008
【図７】
2006293205.tif 000009
【図８】
2006293205.tif 000010
【図９】
2006293205.tif 000011
【図１０】
2006293205.tif 000012
【図１１】
2006293205.tif 000013
【図１２】
2006293205.tif 000014
【図１３】
2006293205.tif 000015
【図１４】
2006293205.tif 000016
【図１５】
2006293205.tif 000017
【図１６】
2006293205.tif 000018
【図１７】
2006293205.tif 000019